(57)【要約】      （修正有）【課題】騒音の発生を抑制すること。【解決手段】クリーナ１は、ファン７及びファンを回転させる動力を発生するモータ８を収容するハウジング２と、ハウジング２の少なくとも一部に設けられる排気口１０と、ハウジング２の内部空間において排気口１０に面するように配置され貫通孔を有する吸音部材３０と、を備える。吸音部材３０は、連続気泡の多孔質部材である。貫通孔は、吸音部材３０に複数設けられる。複数の貫通孔は、実質的に平行である。【選択図】図２
2020124432.tif 000002
【特許請求の範囲】
【請求項１】
ファン及び前記ファンを回転させる動力を発生するモータを収容するハウジングと、
前記ハウジングの少なくとも一部に設けられる排気口と、
前記ハウジングの内部空間において前記排気口に面するように配置され貫通孔を有する吸音部材と、
を備えるクリーナ。
【請求項２】
前記吸音部材は、連続気泡の多孔質部材である、
請求項１に記載のクリーナ。
【請求項３】
前記貫通孔は、前記吸音部材に複数設けられる、
請求項１又は請求項２に記載のクリーナ。
【請求項４】
複数の前記貫通孔は、実質的に平行である、
請求項３に記載のクリーナ。
【請求項５】
前記吸音部材は、前記貫通孔の一端の第１開口の少なくとも一部が前記排気口に面し、前記貫通孔の他端の第２開口が前記内部空間に面するように配置される、
請求項１から請求項４のいずれか一項に記載のクリーナ。
【請求項６】
前記排気口は細長く、
前記第１開口は、前記排気口の短手方向の寸法よりも大きい、
請求項５に記載のクリーナ。
【請求項７】
前記排気口は、前記排気口の短手方向に複数設けられ、
前記第１開口は、前記短手方向における前記排気口の間隔よりも大きい、
請求項６に記載のクリーナ。
【請求項８】
前記貫通孔は、前記排気口の短手方向及び長手方向のそれぞれに複数設けられる、
請求項６又は請求項７に記載のクリーナ。
【請求項９】
前記ハウジングの内面から突出し前記貫通孔に配置される支持部材を備える、
請求項１から請求項８のいずれか一項に記載のクリーナ。
【請求項１０】
前記支持部材は、前記ハウジングの内面に固定されるロッド部と、前記ロッド部の先端に配置されるフック部とを有する、
請求項９に記載のクリーナ。
【請求項１１】
前記モータを支持するモータベースと、
前記ファン及び前記モータベースの周囲に配置されるファンカバーと、
前記ファンカバーの少なくとも一部を覆う防振ゴムと、
を備える、
請求項１から請求項１０のいずれか一項に記載のクリーナ。
【請求項１２】
前記ファンカバーは、吸込口を有する前板部と、前記吸込口の周囲に配置され前記前板部から前方に突出する円筒部とを含み、
前記防振ゴムは、前記円筒部を囲むように配置される突出部を含む、
請求項１１に記載のクリーナ。
【請求項１３】
前記突出部の前端面に設けられる溝を有する、
請求項１２に記載のクリーナ。
【請求項１４】
電動工具用のバッテリが装着されるバッテリ装着部を備え、
前記モータは、前記バッテリから供給される電力により駆動する、
請求項１から請求項１３のいずれか一項に記載のクリーナ。
【発明の詳細な説明】
【技術分野】
【０００１】
本発明は、クリーナに関する。
【背景技術】
【０００２】
クリーナは、ファン及びファンを回転させる動力を発生するモータを備える。ファンが回転することにより、クリーナの吸込口から空気が塵埃とともに吸い込まれる。吸込口から吸い込まれた空気は、クリーナの内部空間を流通した後、排気口から排出される。
【先行技術文献】
【特許文献】
【０００３】
【特許文献１】特開２００８−０６１６７４号公報
【発明の概要】
【発明が解決しようとする課題】
【０００４】
クリーナから騒音が発生すると、クリーナの使用者に不快感を与える。
【０００５】
本発明の態様は、騒音の発生を抑制することを目的とする。
【課題を解決するための手段】
【０００６】
本発明の態様に従えば、ファン及び前記ファンを回転させる動力を発生するモータを収容するハウジングと、前記ハウジングの少なくとも一部に設けられる排気口と、前記ハウジングの内部空間において前記排気口に面するように配置され貫通孔を有する吸音部材と、を備えるクリーナが提供される。
【発明の効果】
【０００７】
本発明の態様によれば、騒音の発生を抑制できる。
【図面の簡単な説明】
【０００８】
【図１】図１は、実施形態に係るクリーナを示す側面図である。
【図２】図２は、実施形態に係るクリーナの一部を破断した図である。
【図３】図３は、実施形態に係る左ハウジングに設けられた吸音部材を示す斜視図である。
【図４】図４は、実施形態に係る吸音部材を示す斜視図である。
【図５】図５は、実施形態に係る吸音部材を示す断面図である。
【図６】図６は、実施形態に係る吸音部材の一部を拡大した模式図である。
【図７】図７は、実施形態に係る吸音部材の吸音率を示す図である。
【図８】図８は、実施形態に係る吸音部材と排気口との関係を説明するための図である。
【図９】図９は、実施形態に係る支持部材を説明するための図である。
【図１０】図１０は、実施形態に係る支持部材を示す斜視図である。
【図１１】図１１は、実施形態に係る駆動ユニットの分解斜視図である。
【図１２】図１２は、実施形態に係る駆動ユニットの分解断面図である。
【図１３】図１３は、実施形態に係る駆動ユニットの断面図である。
【図１４】図１４は、実施形態に係る駆動ユニットの斜視図である。
【図１５】図１５は、実施形態に係る防振ゴムを示す断面図である。
【図１６】図１６は、実施形態に係る防振ゴムを示す正面図である。
【図１７】図１７は、実施形態に係るハウジングの内部空間を示す図である。
【図１８】図１８は、実施形態に係る凹部にケーブルが配置されている状態を示す模式図である。
【図１９】図１９は、実施形態に係るシール構造を模式的に示す側面図である。
【図２０】図２０は、実施形態に係るシール構造を模式的に示す断面図である。
【図２１】図２１は、実施形態に係る回転防止機構を示す図である。
【図２２】図２２は、実施形態に係る集塵機を示す図である。
【発明を実施するための形態】
【０００９】
以下、本発明に係る実施形態について図面を参照しながら説明するが、本発明は実施形態に限定されない。
【００１０】
実施形態においては、ＸＹＺ直交座標系を規定して、ＸＹＺ直交座標系を参照しながら各部の位置関係について説明する。所定面内のＸ軸と平行な方向をＸ軸方向とする。Ｘ軸と直交する所定面内のＹ軸と平行な方向をＹ軸方向とする。所定面と直交するＺ軸と平行な方向をＺ軸方向とする。Ｘ軸方向は、前後方向である。Ｙ軸方向は、左右方向である。Ｚ軸方向は、上下方向である。＋Ｘ方向が前方であり、−Ｘ方向が後方である。＋Ｙ方向が左方であり、−Ｙ方向が右方である。＋Ｚ方向が上方であり、−Ｚ方向が下方である。
【００１１】
［クリーナの概要］
図１は、実施形態に係るクリーナ１を示す側面図である。図１に示すように、クリーナ１は、吸込口３及び排気口１０を有するハウジング２と、電動工具用のバッテリ５が装着されるバッテリ装着部６と、ファン７及びファン７を回転させる動力を発生するモータ８を含む駆動ユニット４０とを備える。
【００１２】
ハウジング２は、ファン７及びモータ８を含む駆動ユニット４０を収容する。ハウジング２は、吸込口３を有する前ハウジング２１と、排気口１０を有する後ハウジング２２とを含む。ハウジング２の外部空間の空気は、塵埃とともに吸込口３に吸い込まれる。吸込口３から吸い込まれた空気は、ハウジング２の内部空間を流通した後、排気口１０からハウジング２の外部空間に排出される。吸込口３は、前ハウジング２１の少なくとも一部に設けられる。前ハウジング２１は、筒状の吸込ノズル部４を含む。吸込口３は、吸込ノズル部４に設けられる。排気口１０は、後ハウジング２２の少なくとも一部に設けられる。排気口１０は、後ハウジング２２のＹ軸方向の側面に設けられる。
【００１３】
前ハウジング２１は、後ハウジング２２の少なくとも一部が挿入される開口１１を有する。後ハウジング２２の前部は、前ハウジング２１の後部に設けられた開口１１に挿入される。後ハウジング２２の前部が開口１１に挿入されることによって、前ハウジング２１と後ハウジング２２とが接続される。前ハウジング２１と後ハウジング２２とは、着脱可能である。
【００１４】
後ハウジング２２は、左ハウジング２２Ｌと、左ハウジング２２Ｌに接続される右ハウジング２２Ｒとを含む。左ハウジング２２Ｌと右ハウジング２２Ｒとは、ねじのような固定具により固定される。
【００１５】
後ハウジング２２は、ハンドル１２を有する。ハンドル１２は、クリーナ１の使用者に保持される。ハンドル１２にトリガスイッチ１３が設けられる。トリガスイッチ１３は、使用者に操作される。使用者は、ハンドル１２を保持した状態で、トリガスイッチ１３を操作することができる。トリガスイッチ１３が操作されると、モータ８が駆動する。トリガスイッチ１３の操作が解除されると、モータ８が停止する。
【００１６】
使用者は、ハンドル１２を保持した状態で、トリガスイッチ１３を操作して、クリーニング作業を実施する。クリーナ１は、ハンドル１２を使用者に保持された状態でクリーニング作業を実施可能なハンディクリーナである。
【００１７】
電動工具用のバッテリ５は、バッテリ装着部６に装着される。モータ８は、バッテリ５から供給される電力により駆動する。バッテリ装着部６は、ハンドル１２の下部に配置される。
【００１８】
バッテリ装着部６は、バッテリ５をガイドする一対のガイドレールと、一対のガイドレールの間に配置される接続端子とを有する。
【００１９】
バッテリ５は、充電式のバッテリである。バッテリ５は、一対のスライドレールと、一対のスライドレールの間に配置されるバッテリ端子とを有する。
【００２０】
バッテリ５をバッテリ装着部６に装着する場合、使用者は、バッテリ装着部６のガイドレールにバッテリ５のスライドレールをガイドさせながら、バッテリ５を前方へスライドさせる。バッテリ５が前方にスライドすることにより、バッテリ５とバッテリ装着部６とが固定され、バッテリ５のバッテリ端子とバッテリ装着部６の接続端子とが接続される。これにより、バッテリ５がバッテリ装着部６に装着される。
【００２１】
バッテリ装着部６からバッテリ５を外す場合、使用者は、バッテリ５に設けられている固定解除ボタンを操作する。固定解除ボタンが操作されることにより、バッテリ５とバッテリ装着部６との固定が解除される。バッテリ５とバッテリ装着部６との固定が解除された後、バッテリ５が後方にスライドされることにより、バッテリ装着部６から抜去される。これにより、バッテリ装着部６からバッテリ５が外される。
【００２２】
図２は、実施形態に係るクリーナ１の一部を破断した図である。図２に示すように、クリーナ１は、複数の樹脂リブ１４と、樹脂リブ１４の周囲に配置されるフィルタ１５とを備える。樹脂リブ１４は、フィルタ１５を支持する。樹脂リブ１４及びフィルタ１５は、前ハウジング２１の内部空間において、吸込口３とファン７との間に配置される。
【００２３】
駆動ユニット４０は、Ｘ軸と平行な回転軸ＡＸを中心に回転可能なファン７と、ファン７を回転させる動力を発生するモータ８と、モータ８を支持するモータベース１６と、ファン７及びモータベース１６を収容するファンカバー１７とを有する。ファンカバー１７の少なくとも一部は、防振ゴム１８で覆われる。駆動ユニット４０は、後ハウジング２２の内部空間に配置される。
【００２４】
ファン７は、回転軸ＡＸを中心に回転することにより、吸込口３に吸込力を発生させる。モータ８は、回転軸ＡＸを中心にファン７を回転させる動力を発生する。
【００２５】
モータベース１６は、モータ８の周囲に配置され、モータ８に固定される。
【００２６】
ファンカバー１７は、ファン７及びモータベース１６の周囲に配置され、モータベース１６に固定される。モータベース１６は、ファンカバー１７を介して後ハウジング２２に固定される。モータ８は、モータベース１６及びファンカバー１７を介して後ハウジング２２に固定される。ファン７は、ファンカバー１７の内側において回転する。
【００２７】
防振ゴム１８は、ファンカバー１７の少なくとも一部を覆う。防振ゴム１８の少なくとも一部は、ファンカバー１７と後ハウジング２２との間に配置される。防振ゴム１８は、ファンカバー１７及び後ハウジング２２のそれぞれと接触するように配置される。防振ゴム１８は、モータ８で発生した振動が後ハウジング２２に伝達されることを抑制する。
【００２８】
排気口１０は、左ハウジング２２Ｌ及び右ハウジング２２Ｒのそれぞれに設けられる。排気口１０は、後ハウジング２２の＋Ｙ側の側面及び−Ｙ側の側面のそれぞれに設けられる。排気口１０は、後ハウジング２２の内部空間と外部空間とを接続する。
【００２９】
トリガスイッチ１３が操作され、モータ８が駆動すると、ファン７が回転する。ファン７が回転することにより、吸込口３において吸込力が発生する。吸込口３において吸込力が発生することにより、ハウジング２の外部空間の空気が塵埃とともに吸込口３に吸い込まれる。吸込口３から吸い込まれた空気は、前ハウジング２１の内部空間に流入する。前ハウジング２１の内部空間に流入した空気は、フィルタ１５を通過する。フィルタ１５は、空気に含まれる塵埃を捕集する。フィルタ１５を通過した空気は、ファン７及びモータ８を含む駆動ユニット４０を通過した後、排気口１０からハウジング２の外部空間に排出される。
【００３０】
［吸音部材］
クリーナ１は、後ハウジング２２の内部空間において排気口１０に面するように配置される吸音部材３０を備える。吸音部材３０は、連続気泡の多孔質部材である。吸音部材３０は、空気を伝播する音を吸収して、騒音の発生を抑制する。クリーナ１が発生する騒音として、空気の流通により発生する風切音、及びファン７の回転により発生するＮＺ音が例示される。
【００３１】
図３は、実施形態に係る左ハウジング２２Ｌに設けられた吸音部材３０を示す斜視図である。図４は、実施形態に係る吸音部材３０を示す斜視図である。図５は、実施形態に係る吸音部材３０を示す断面図である。
【００３２】
図３、図４、及び図５に示すように、吸音部材３０は、第１面３１と、第１面３１の反対方向を向く第２面３２と、第１面３１と第２面３２とを結ぶ貫通孔３３とを有する。貫通孔３３の一端の第１開口３５は、第１面３１に配置される。貫通孔３３の他端の第２開口３６は、第２面３２に配置される。吸音部材３０は、第１開口３５の少なくとも一部が排気口１０に面し、第２開口３６が後ハウジングの内部空間の中央に面するように、後ハウジング２２の内部空間に配置される。
【００３３】
貫通孔３３は、吸音部材３０に複数設けられる。複数の貫通孔３３は、実質的に平行である。
【００３４】
図６は、実施形態に係る吸音部材３０の一部を拡大した模式図である。吸音部材３０は、連続気泡の多孔質部材である。吸音部材３０は、多数の微小な気泡３４を有する。連続気泡とは、相互に繋がる複数の気泡３４をいう。貫通孔３３の内径は、１つの気泡３４の大きさよりも大きい。連続気泡の多孔質部材として、軟質ウレタンスポンジ、グラウスール、ロックウール、及びフェルトの少なくとも一つが例示される。
【００３５】
連続気泡は、吸音機能を有する。音は、吸音部材３０の表面の気泡３４に入射する。吸音部材３０の表面の気泡３４に入射した音は、隣の気泡３４に伝播する。音は、気泡３４の内面に当たる。複数の気泡３４は繋がっている。音は、気泡３４の内面で反射しながら、複数の気泡３４を伝播する。音のエネルギーは、気泡３４の内面に何度も当たることにより減衰される。これにより、騒音が低減される。
【００３６】
図７は、実施形態に係る吸音部材３０の吸音率を示す図である。図７において、横軸は周波数を示し、縦軸は吸音率を示す。風切音の周波数は、約２０００Ｈｚ程度といわれている。図７に示すように、吸音部材３０として連続気泡の多孔質部材が使用されることにより、２０００Ｈｚ以上の高周波の騒音が効果的に低減される。
【００３７】
図８は、実施形態に係る吸音部材３０と排気口１０との関係を説明するための図である。排気口１０は、Ｘ軸方向に細長いスリット状である。排気口１０の長手方向は、Ｘ軸方向である。排気口１０の短手方向は、Ｚ軸方向である。
【００３８】
排気口１０は、Ｚ軸方向に複数設けられる。複数の排気口１０は、Ｚ軸方向に一定の間隔で設けられる。実施形態において、排気口１０は、Ｚ軸方向に６つ設けられる。
【００３９】
貫通孔３３は、Ｚ軸方向及びＸ軸方向のそれぞれに複数設けられる。複数の貫通孔３３は、Ｚ軸方向及びＸ軸方向のそれぞれに一定の間隔で設けられる。
【００４０】
貫通孔３３は、複数の貫通孔３３Ｆと、２つの貫通孔３３Ａと、２つの貫通孔３３Ｂとを含む。
【００４１】
貫通孔３３Ｆは、吸音部材３０に設けられた複数の貫通孔３３のうち、貫通孔３３Ａ及び貫通孔３３Ｂ以外の貫通孔３３である。
【００４２】
貫通孔３３Ｆの第１開口３５及び第２開口３６のそれぞれは、実質的に真円形である。貫通孔３３Ｆの第１開口３５の大きさと貫通孔３３Ｆの第２開口３６の大きさとは、実質的に等しい。
【００４３】
貫通孔３３Ｆの第１開口３５の内径Ｄは、排気口１０のＺ軸方向の寸法Ｗよりも大きい。
【００４４】
貫通孔３３Ｆの第１開口３５の内径Ｄは、Ｚ軸方向における排気口１０の間隔Ｇよりも大きい。
【００４５】
Ｚ軸方向における貫通孔３３Ｆの第１開口３５の間隔Ｈは、Ｚ軸方向における排気口１０の間隔Ｇと実質的に等しい。なお、間隔Ｈは、間隔Ｇよりも大きくてもよいし、小さくてもよい。
【００４６】
２つの貫通孔３３Ａは、吸音部材３０の前部（＋Ｘ側）において、Ｚ軸方向に配置される。貫通孔３３Ａの第１開口３５及び第２開口３６のそれぞれは、実質的に長円形である。貫通孔３３Ａの第１開口３５及び第２開口３６のそれぞれは、Ｘ軸方向に長い。貫通孔３３Ａの第１開口３５の大きさと貫通孔３３Ａの第２開口３６の大きさとは、実質的に等しい。Ｚ軸方向において、貫通孔３３Ａの寸法は、貫通孔３３Ｆの寸法よりも小さい。
【００４７】
２つの貫通孔３３Ｂは、吸音部材３０の後部（−Ｘ側）において、Ｚ軸方向に配置される。貫通孔３３Ｂの第１開口３５及び第２開口３６のそれぞれは、実質的に真円形である。貫通孔３３Ｂの第１開口３５の大きさと貫通孔３３Ｂの第２開口３６の大きさとは、実質的に等しい。貫通孔３３Ｂの内径は、貫通孔３３Ｆの内径よりも小さい。
【００４８】
［支持部材］
図９は、実施形態に係る支持部材３８を説明するための図である。支持部材３８は、吸音部材３０を支持する。図９に示すように、クリーナ１は、後ハウジング２２の内面から突出し、貫通孔３３に配置される支持部材３８を備える。支持部材３８は、Ｙ軸方向を向く後ハウジング２２の内面から、Ｙ軸方向における後ハウジング２２の内部空間の中央に向かって突出する。支持部材３８は、後ハウジング２２の内面において、排気口１０の周囲の少なくとも一部に設けられる。
【００４９】
支持部材３８は、複数設けられる。実施形態において、支持部材３８は、４つ設けられる。２つの支持部材３８は、Ｚ軸方向に配置される複数の排気口１０のうち、最も＋Ｚ側に配置された排気口１０の近傍において、Ｘ軸方向に配置される。２つの支持部材３８は、Ｚ軸方向に配置される複数の排気口１０のうち、最も−Ｚ側に配置された排気口１０の近傍において、Ｘ軸方向に配置される。
【００５０】
なお、支持部材３８の少なくとも一つが、隣り合う排気口１０の間の後ハウジング２２の内面に設けられてもよい。
【００５１】
支持部材３８は、吸音部材３０の貫通孔３３に挿入される。実施形態において、＋Ｘ側に配置された２つの支持部材３８は、貫通孔３３Ａに挿入される。−Ｘ側に配置された２つの支持部材３８は、貫通孔３３Ｂに挿入される。
【００５２】
図１０は、実施形態に係る支持部材３８を示す斜視図である。図１０に示すように、支持部材３８は、後ハウジング２２の内面に固定されるロッド部３８Ａと、ロッド部３８Ａの先端に配置されるフック部３８Ｂとを有する。ロッド部３８Ａの中心線ＬＸは、実質的にＹ軸と平行である。Ｙ軸と直交するＸＺ平面内において、フック部３８Ｂの外形は、ロッド部３８Ａの外形よりも大きい。また、ＸＺ平面内において、フック部３８ＢのＺ軸方向の寸法は、フック部３８ＢのＸ軸方向の寸法よりも大きい。
【００５３】
支持部材３８が貫通孔３３Ａ及び貫通孔３３Ｂに挿入されることにより、吸音部材３０は、後ハウジング２２に固定される。支持部材３８は、ロッド部３８Ａの周囲に貫通孔３３（３３Ａ，３３Ｂ）の内面が配置されるように、貫通孔３３（３３Ａ，３３Ｂ）に挿入される。ロッド部３８Ａの周囲に貫通孔３３（３３Ａ，３３Ｂ）の内面が配置されることにより、図１０に示すように、フック部３８Ｂは、第２面３２から突出する。第２面３２の少なくとも一部は、フック部３８Ｂに引っ掛けられる。これにより、吸音部材３０は、支持部材３８に支持され、後ハウジング２２に固定される。
【００５４】
ＸＺ平面内において、フック部３８ＢのＺ軸方向の寸法は、フック部３８ＢのＸ軸方向の寸法よりも大きい。ＸＺ平面内において、貫通孔３３ＡのＺ軸方向の寸法は、貫通孔３３ＡのＸ軸方向の寸法よりも小さい。フック部３８ＢのＺ軸方向の寸法は、貫通孔３３ＡのＺ軸方向の寸法よりも大きい。これにより、支持部材３８が貫通孔３３Ａに挿入された状態で、フック部３８Ｂは、第２面３２に引っ掛かる。また、ＸＺ平面内において、フック部３８ＢのＺ軸方向の寸法は、貫通孔３３Ｂの寸法よりも大きい。これにより、支持部材３８が貫通孔３３Ｂに挿入された状態で、フック部３８Ｂは、第２面３２に引っ掛かる。吸音部材３０がスポンジのような柔らかい多孔質部材である場合、支持部材３８は、貫通孔３３Ａ及び貫通孔３３Ｂのそれぞれに円滑に挿入される。
【００５５】
［駆動ユニット］
図１１は、実施形態に係る駆動ユニット４０の分解斜視図である。図１２は、実施形態に係る駆動ユニット４０の分解断面図である。図１３は、実施形態に係る駆動ユニット４０の断面図である。図１４は、実施形態に係る駆動ユニット４０の斜視図である。
【００５６】
駆動ユニット４０は、ファン７と、モータ８と、モータベース１６と、ファンカバー１７とを有する。
【００５７】
ファン７は、回転軸ＡＸを中心に回転する。ファン７は、遠心ファンである。ファン７は、吸込口７３を有する前板７１Ａと、前板７１Ａよりも後方に配置される後板７１Ｂと、前板７１Ａと後板７１Ｂとの間に配置される羽根７２とを有する。複数の羽根７２は、回転軸ＡＸの周囲に複数配置される。隣り合う羽根７２の間に吹出口７４が設けられる。
【００５８】
モータ８は、バッテリ５から供給される電力により駆動する。モータ８は、ファン７よりも後方に配置される。モータ８は、出力シャフト８１と、出力シャフト８１を回転可能に支持するベアリング８２とを有する。
【００５９】
ファン７は、モータ８の出力シャフト８１が挿入される挿入孔７５を有する。出力シャフト８１が挿入孔７５に挿入されることにより、モータ８とファン７とが連結される。出力シャフト８１の回転によりファン７が回転すると、空気が吸込口７３に吸い込まれる。吸込口７３から吸い込まれた空気は、吹出口７４から回転軸ＡＸの放射方向に吹き出される。
【００６０】
モータベース１６は、モータ８と後ハウジング２２とを固定する。モータベース１６の中心軸ＣＸは、ファン７の回転軸ＡＸと一致する。モータベース１６は、ベース板１６１と、整流部材１６２とを有する。
【００６１】
ベース板１６１は、円板状である。ベース板１６１は、ファン７の後板７１Ｂと対向する。ベース板１６１の中央部に挿入孔１６３が設けられる。モータ８の出力シャフト８１及びベアリング８２は、挿入孔１６３に挿入される。
【００６２】
整流部材１６２は、ファン７の吹出口７４から吹き出された空気を後方にガイドする。整流部材１６２は、中心軸ＣＸの周囲に複数配置される。実施形態において、整流部材１６２は、１０個配置される。整流部材１６２は、ベース板１６１の後面に設けられる。整流部材１６２は、内側壁部１６２Ａと、傾斜部１６２Ｂと、外側壁部１６２Ｃと、ストッパ部１６２Ｄとを有する。
【００６３】
内側壁部１６２Ａは、ベース板１６１の後面に固定される。内側壁部１６２Ａは、ベース板１６１の後面から後方に突出する。傾斜部１６２Ｂは、内側壁部１６２Ａの外面の後端部から中心軸ＣＸの放射方向外側に延在する。外側壁部１６２Ｃは、傾斜部１６２Ｂの周縁部から後方に突出する。ストッパ部１６２Ｄは、外側壁部１６２Ｃの外面の後端部から中心軸ＣＸの放射方向外側に突出する。
【００６４】
外側壁部１６２Ｃに突起部１６４が設けられる。突起部１６４は、外側壁部１６２Ｃの外面から中心軸ＣＸの放射方向外側に突出する。
【００６５】
モータベース１６は、モータ８を固定する固定リブ１６６を有する。固定リブ１６６は、ベース板１６１の後面に設けられる。固定リブ１６６は、ベース板１６１から後方に突出する。固定リブ１６６は、中心軸ＣＸの周囲に複数設けられる。モータ８の出力シャフト８１及びベアリング８２が挿入孔１６３に挿入された状態で、固定リブ１６６は、ステータを含むモータ８のボディ８４の周囲に配置される。ボディ８４は、複数の固定リブ１６６に挟まれる。複数の固定リブ１６６がボディ８４の周囲に配置されることにより、モータ８とモータベース１６とが位置決めされる。固定リブ１６６は、ボディ８４に接触した状態で、中心軸ＣＸの放射方向外側に突出する。固定リブ１６６によりボディ８４が放熱され、モータ８の温度が過度に上昇することが抑制される。
【００６６】
ボディ８４の周囲に複数の固定リブ１６６が配置された状態で、モータ８とモータベース１６とは、ねじ１９により固定される。モータベース１６には、ねじ１９が配置される孔１６５が設けられる。モータ８には、ねじ１９のねじ山と結合されるねじ孔８３が設けられる。
【００６７】
ファンカバー１７は、ファン７及びモータベース１６を収容する。ファンカバー１７は、モータベース１６と後ハウジング２２とを固定する。ファンカバー１７は、吸込口１７１を有する前板部１７２と、吸込口１７１を囲むように配置され、前板部１７２から前方に突出する円筒部１７３と、前板部１７２の周縁部と接続される外筒部１７４と、外筒部１７４に設けられる突起部１７５とを有する。
【００６８】
前板部１７２は、円板状である。吸込口１７１は、前板部１７２の中央に設けられる。円筒部１７３は、前板部１７２から前方に突出する。円筒部１７３の内側に吸込口１７１が設けられる。円筒部１７３の内側に円筒部１７６及びリブ１７７が配置される。リブ１７７は、円筒部１７３及び円筒部１７６のそれぞれに固定される。外筒部１７４は、前板部１７２の周縁部から後方に突出する。外筒部１７４の後端部に、後方に突出する突起部１７８が設けられる。外筒部１７４の一部に、突起部１６４が配置される孔１７９が設けられる。
【００６９】
ファン７及びモータベース１６は、ファンカバー１７の内側に配置される。ファンカバー１７の外筒部１７４は、ファン７及びモータベース１６の周囲に配置される。モータベース１６の突起部１６４は、外筒部１７４に設けられた孔１７９に配置される。突起部１６４が孔１７９に配置されることにより、モータベース１６とファンカバー１７とが位置決めされる。
【００７０】
外筒部１７４の後端部は、モータベース１６のストッパ部１６２Ｄに接触する。外筒部１７４の後端部とストッパ部１６２Ｄとが接触することにより、モータベース１６とファンカバー１７とが位置決めされる。外筒部１７４の突起部１７８は、隣り合うストッパ部１６２Ｄの間に配置される。
【００７１】
外筒部１７４の内面は、モータベース１６の整流部材１６２と対向する。外筒部１７４の内面と外側壁部１６２Ｃの外面とが対向する。
【００７２】
ファンカバー１７の吸込口１７１は、フィルタ１５に面する。フィルタ１５を通過した空気は、吸込口１７１から吸い込まれる。吸込口１７１を通過した空気は、ファン７の吸込口７３に吸い込まれる。吸込口７３を通過した空気は、吹出口７４から回転軸ＡＸの放射方向に吹き出される。
【００７３】
吹出口７４から吹き出された空気は、整流部材１６２により、モータベース１６の後方にガイドされる。吹出口７４から吹き出された空気の少なくとも一部は、内側壁部１６２Ａと、傾斜部１６２Ｂと、ファンカバー１７の外筒部１７４の内面とによって規定される流路を流れる。モータベース１６を通過した空気は、吸音部材３０を通過した後、排気口１０を介してハウジング２の外部空間に排出される。
【００７４】
モータ８のボディ８４の周囲に吸音部材３００が配置される。吸音部材３００は、モータ８が発生する騒音を吸収する。吸音部材３００は、連続気泡の多孔質部材である。連続気泡の多孔質部材として、軟質ウレタンスポンジ、グラウスール、ロックウール、及びフェルトの少なくとも一つが例示される。
【００７５】
吸音部材３００は、円筒状である。吸音部材３００の内側にボディ８４の少なくとも一部が挿入される。吸音部材３００は、ボディ８４の周囲において、固定リブ１６６に接触するように配置される。固定リブ１６６は、ボディ８４に接触した状態で、中心軸ＣＸの放射方向外側に突出する。吸音部材３００は、ボディ８４及び固定リブ１６６を覆うように配置される。吸音部材３００は、固定リブ１６６に固定される。
【００７６】
図１５は、実施形態に係る防振ゴム１８を示す断面図である。図１６は、実施形態に係る防振ゴム１８を示す正面図である。図１５においては、ファンカバー１７及び防振ゴム１８が図示され、ファン７、モータ８、及びモータベース１６の図示は省略している。
【００７７】
図１５及び図１６に示すように、防振ゴム１８は、外筒部１７４を被覆する被覆部１８１と、前板部１７２の少なくとも一部を被覆するように配置される突出部１８２とを有する。突出部１８２は、前板部１７２から前方に突出するように設けられる。突出部１８２は、円筒部１７３を囲むように配置される。突出部１８２は、ファンカバー１７の中心軸ＤＸを囲む円筒状である。中心軸ＤＸと平行な方向において、突出部１８２の寸法Ｔは、被覆部１８１の厚さＵよりも大きい。図２に示したように、突出部１８２の前端面は、後ハウジング２２の少なくとも一部と接触する。
【００７８】
防振ゴム１８は、突出部１８２の前端面に設けられる溝１８３を有する。図１６に示すように、中心軸ＤＸを直交する面内において、溝１８３は、円環状である。溝１８３は、中心軸ＤＸの放射方向に２重に設けられる。
【００７９】
溝１８３により、突出部１８２にリブ１８２Ｒが設けられる。リブ１８２Ｒは、中心軸ＤＸの放射方向に複数設けられる。図１６に示すように、中心軸ＤＸの放射方向に配置される複数のリブ１８２Ｒを連結するように、溝１８３の内側に連結リブ１８４が設けられる。
【００８０】
ファンカバー１７の外筒部１７４に設けられた突起部１７５は、外筒部１７４の外面からファンカバー１７の中心軸ＤＸの放射方向外側に突出する。被覆部１８１は、突起部１７５が配置される凹部１８５を有する。突起部１７５が凹部１８５に配置されることにより、ファンカバー１７と防振ゴム１８とが位置決めされる。
【００８１】
なお、防振ゴム１８は、インサート成型により製造されてもよい。
【００８２】
防振ゴム１８の硬度は、例えばＨｓ３０以下である。突出部１８２の寸法Ｔが十分に大きく、リブ１８２Ｒが設けられることにより、防振ゴム１８は、撓みやすい。これにより、防振ゴム１８は、十分な防振効果を発揮することができる。
【００８３】
［シール構造］
図１７は、実施形態に係るハウジング２の内部空間を示す図である。図１７は、後ハウジング２２から右ハウジング２２Ｒを外した状態を示す。図１７に示すように、クリーナ１は、トリガスイッチ１３の操作により作動するスイッチング素子５１と、クリーナ１を制御する制御基板５２と、スイッチング素子５１と制御基板５２とを接続するケーブル５３とを有する。使用者によりトリガスイッチ１３が操作されると、スイッチング素子５１は、操作信号を出力する。操作信号は、ケーブル５３を介して制御基板５２に入力される。制御基板５２は、操作信号に基づいて、モータ８を駆動する。
【００８４】
ハウジング２の内部空間は、ファン７及びモータ８を含む駆動ユニット４０が配置される第１空間ＳＰ１と、区画壁６０を介して第１空間ＳＰ１と区画される第２空間ＳＰ２とを含む。
【００８５】
第２空間ＳＰ２は、ハンドル１２の内部空間を含む。区画壁６０は、第２空間ＳＰ２の前部と第１空間ＳＰ１とを区画する第１区画壁６１と、第２空間ＳＰ２の後部と第１空間ＳＰ１とを区画する第２区画壁６２とを含む。
【００８６】
トリガスイッチ１３は、ハンドル１２に設けられる。スイッチング素子５１は、第２空間ＳＰ２に設けられる。制御基板５２及び駆動ユニット４０は、第１空間ＳＰ１に設けられる。
【００８７】
第１区画壁６１は、左ハウジング２２Ｌに設けられる。なお、第１区画壁６１は、右ハウジング２２Ｒに設けられてもよいし、左ハウジング２２Ｌ及び右ハウジング２２Ｒの両方に設けられてもよい。
【００８８】
第２区画壁６２は、左ハウジング２２Ｌに設けられた左区画壁６２Ｌと、右ハウジング２２Ｒに設けられた右区画壁６２Ｒとを含む。
【００８９】
左区画壁６２Ｌは、ケーブル５３が配置される凹部６３を有する。ケーブル５３の一端部は、スイッチング素子５１に接続される。ケーブル５３の他端部は、制御基板５２に接続される。ケーブル５３の少なくとも一部は、凹部６３に配置される。
【００９０】
図１８は、実施形態に係る凹部６３にケーブル５３が配置されている状態を示す模式図である。図１８に示すように、第２区画壁６２の左区画壁６２Ｌは、ケーブル５３が配置される凹部６３を有する。
【００９１】
ケーブル５３は、リード線５３Ａと、弾性部材で形成されリード線５３Ａを被覆するチューブ５３Ｂとを含む。リード線５３Ａは、導電性部材と、導線性部材を覆う被覆体とを含む。リード線５３Ａの導線性部材は、銅のような金属製である。チューブ５３Ｂは、ゴムのような弾性部材である。
【００９２】
図１９は、実施形態に係るシール構造を模式的に示す側面図である。図２０は、実施形態に係るシール構造を模式的に示す断面図である。
【００９３】
右ハウジング２２Ｒに設けられた右区画壁６２Ｒは、凹部６３に配置されたケーブル５３を押す凸部を含む。左区画壁６２Ｌは、左ハウジング２２Ｌの内面から−Ｙ方向に突出する。右区画壁６２Ｒは、右ハウジング２２Ｒの内面から＋Ｙ方向に突出する。
【００９４】
左ハウジング２２Ｌと右ハウジング２２Ｒとは、ねじのような固定具により固定される。固定具による左ハウジング２２Ｌと右ハウジング２２Ｒとの固定が解除された状態で、凹部６３にケーブル５３が配置される。凹部６３にケーブル５３が配置された状態で、左ハウジング２２Ｌと右ハウジング２２Ｒとが固定される。凹部６３にケーブル５３が配置された状態で、左ハウジング２２Ｌと右ハウジング２２Ｒとが固定されることにより、右区画壁６２Ｒは、凹部６３に配置されているケーブル５３を押し潰す。
【００９５】
ケーブル５３のチューブ５３Ｂは、弾性変形可能である。ケーブル５３が凹部６３に配置された状態で、右区画壁６２Ｒに押し潰されることにより、チューブ５３Ｂは、凹部６３の内面に密着するように変形する。これにより、チューブ５３Ｂは、凹部６３における第１空間ＳＰ１と第２空間ＳＰ２との境界をシールする。
【００９６】
図２０に示すように、左区画壁６２Ｌは、板状である。右区画壁６２Ｒは、板状である。ＸＺ平面内において、左区画壁６２Ｌの位置と右区画壁６２Ｒの位置とは異なる。左ハウジング２２Ｌと右ハウジング２２Ｒとが固定されることにより、左区画壁６２Ｌの表面と右区画壁６２Ｒの表面の一部とが対向する。左ハウジング２２Ｌと右ハウジング２２Ｒとが固定されることにより、左区画壁６２Ｌの表面と右区画壁６２Ｒの表面の一部とが接触する。
【００９７】
なお、実施形態においては、左区画壁６２Ｌに凹部６３が設けられ、右区画壁６２Ｒが凹部６３に配置されたケーブル５３を押す凸部であることとした。右区画壁６２Ｒに凹部６３が設けられ、左区画壁６２Ｌが凹部６３に配置されたケーブル５３を押す凸部でもよい。
【００９８】
［回転防止機構］
図２１は、実施形態に係る回転防止機構９０を示す図である。回転防止機構９０は、後ハウジング２２の少なくとも一部が前ハウジング２１の開口１１に挿入された状態で、前ハウジング２１と後ハウジング２２との相対回転を規制する。回転防止機構９０は、前ハウジング２１に設けられた第１凸部９１と、後ハウジング２２に設けられ第１凸部９１と接触可能な第２凸部９２とを有する。
【００９９】
後ハウジング２２の前部に筒部２２Ｔが設けられる。前ハウジング２１の後部に開口１１が設けられる。筒部２２Ｔの外径は、開口１１の内径よりも小さい。筒部２２Ｔが開口１１に挿入されることによって、前ハウジング２１と後ハウジング２２とが接続される。
【０１００】
第１凸部９１は、前ハウジング２１の後部の内面に設けられる。第１凸部９１は、前ハウジング２１の内面から内側に突出する。第２凸部９２は、後ハウジング２２の筒部２２Ｔの外面から外側に突出する。筒部２２Ｔが開口１１に挿入された状態で、第２凸部９２は、前ハウジング２１の内部空間に入り込む。筒部２２Ｔが開口１１に挿入された状態で、第１凸部９１のＸ軸方向の位置と、第２凸部９２の少なくとも一部のＸ軸方向の位置とは一致する。これにより、前ハウジング２１と後ハウジング２２とがＸ軸を中心とする回転方向に相対回転しようとしても、第１凸部９１と第２凸部９２とが接触することにより、前ハウジング２１と後ハウジング２２との相対回転が規制される。
【０１０１】
なお、前ハウジング２１の後端部に、後ハウジング２２に挿入される筒部が設けられもよい。第１凸部９１が後ハウジング２２に設けられ、第２凸部９２が前ハウジング２１に設けられてもよい。
【０１０２】
[動作]
次に、実施形態に係るクリーナ１の動作について説明する。使用者によりトリガスイッチ１３が操作されると、モータ８が起動する。モータ８は、バッテリ５から供給される電力によって駆動する。モータ８が駆動することにより、ファン７が回転する。ファン７が回転することにより、吸込口３に吸込力が発生する。吸込口３に吸込力が発生することにより、ハウジング２の外部空間の空気が、吸込口３から吸い込まれ、前ハウジング２１の内部空間に流入する。
【０１０３】
前ハウジング２１の内部空間に流入した空気に含まれる塵埃は、フィルタ１５に捕集される。フィルタ１５を通過した空気は、ファン７の吸込口７３に吸い込まれた後、吹出口７４から吹き出される。吹出口７４から吹き出された空気は、モータベース１６の整流部材１６２にガイドされながら後方に流通する。モータベース１６を通過した空気は、吸音部材３０に送られる。吸音部材３０に送られた空気の少なくとも一部は、貫通孔３３を流通した後、排気口１０を介してハウジング２の外部空間に排出される。
【０１０４】
ハウジング２の内部空間を流通する空気又は排気口１０を流通する空気により、風切音のような騒音が発生する可能性がある。また、ファン７の回転により、ＮＺ音のような騒音が発生する可能性がある。吸音部材３０がハウジング２の内部空間において排気口１０に面するように配置される。騒音の少なくとも一部は、吸音部材３０に吸収される。これにより、騒音の発生が抑制される。
【０１０５】
［効果］
以上説明したように、ハウジング２の内部空間において排気口１０に面するように吸音部材３０が配置される。吸音部材３０は、連続気泡の多孔質部材である。図６を参照して説明したように、吸音部材３０は、音を吸収することができる。これにより、騒音の発生が抑制される。また、吸音部材３０は、貫通孔３３を有する。ハウジング２の内部空間から外部空間に排出される空気は、貫通孔３３を通過する。吸音部材３０に貫通孔３３が設けられることにより、空気は、ハウジング２の内部空間から外部空間に円滑に排出される。貫通孔３３を有する吸音部材３０により、排気抵抗の増加が抑制されつつ、騒音の発生が抑制される。空気が円滑に流れるので、クリーナ１の吸込力の低下が抑制される。
【０１０６】
貫通孔３３は、吸音部材３０に複数設けられる。これにより、空気は、吸音部材３０の貫通孔３３を円滑に流れる。また、貫通孔３３が複数設けられることにより、吸音部材３０の表面積が大きくなる。したがって、吸音部材３０の吸音効果が向上される。
【０１０７】
複数の貫通孔３３は、実質的に平行である。これにより、空気は貫通孔３３を円滑に流れることができる。
【０１０８】
吸音部材３０は、貫通孔３３の一端の第１開口３５の少なくとも一部が排気口１０に面し、貫通孔３３の他端の第２開口３６がハウジング２の内部空間の中央に面するように配置される。これにより、第２開口３６から貫通孔３３に流入した空気は、第１開口３５から排出された後、排気口１０を介してハウジング２の外部空間に円滑に排出される。
【０１０９】
排気口１０は、Ｘ軸方向に細長いスリット状である。これにより、ハウジング２の外部空間の異物が、排気口１０を介してハウジング２の内部空間に侵入することが抑制される。第１開口３５の内径Ｄは、排気口１０の短手方向の寸法Ｗよりも大きい。これにより、貫通孔３３を流通し、第１開口３５から流出した空気は、排気口１０を介してハウジング２の外部空間に円滑に排出される。
【０１１０】
排気口１０は、排気口１０の短手方向に複数設けられる。これにより、空気は、複数の排気口１０を介して円滑に排出される。第１開口３５の内径Ｄは、排気口１０の短手方向における排気口１０の間隔Ｇよりも大きい。これにより、第１開口３５と排気口１０の少なくとも一部とは重複する。すなわち、第１開口３５が排気口１０の間のハウジング２の内面で塞がれることが抑制される。したがって、貫通孔３３を流通し、第１開口３５から流出した空気は、排気口１０を介してハウジング２の外部空間に円滑に排出される。
【０１１１】
貫通孔３３は、排気口１０の短手方向及び長手方向のそれぞれに複数設けられる。これにより、ハウジング２の内部空間の空気は、複数の貫通孔３３のそれぞれを流通した後、排気口１０を介してハウジング２の外部空間に円滑に排出される。
【０１１２】
吸音部材３０は、ハウジング２の内面から突出する支持部材３８に支持される。支持部材３８は、貫通孔３３に配置される。貫通孔３３に支持部材３８が挿入されるだけで、吸音部材３０は、ハウジング２に簡単に装着される。したがって、吸音部材３０をハウジング２に装着するときの作業性の低下が抑制される。また、吸音部材３０をハウジング２から外すときの作業性の低下が抑制される。
【０１１３】
支持部材３８は、ハウジング２の内面に固定されるロッド部３８Ａと、ロッド部３８Ａの先端に配置されるフック部３８Ｂとを有する。支持部材３８が貫通孔３３Ａに挿入された状態で、フック部３８Ｂは、吸音部材３０の第２面３２に引っ掛かる。これにより、支持部材３８は、ハウジング２に安定して装着される。
【０１１４】
モータ８は、モータベース１６に固定され、ファンカバー１７を介して後ハウジング２２に固定される。ファンカバー１７の少なくとも一部を覆う防振ゴム１８が設けられることにより、モータ８で発生した振動が後ハウジング２２に伝達されることが抑制される。
【０１１５】
防振ゴム１８は、ファンカバー１７の円筒部１７３を囲むように配置される突出部１８２を含む。突出部１８２の寸法Ｔは、被覆部１８１の厚さＵよりも大きい。これにより、振動の伝達が十分に抑制される。また、突出部１８２により、騒音が低減される。
【０１１６】
突出部１８２の前端面に溝１８３が設けられる。溝１８３により、突出部１８２は十分に撓むことができる。これにより、振動の伝達が十分に抑制され、騒音が低減される。
【０１１７】
ハウジング２の内部空間は、区画壁６０により、ファン７及びモータ８を含む駆動ユニット４０が配置される第１空間ＳＰ１と、トリガスイッチ１３が配置される第２空間ＳＰ２とに区画される。区画壁６０は、左ハウジング２２Ｌ及び右ハウジング２２Ｒのそれぞれに設けられる。左ハウジング２２Ｌ及び右ハウジング２２Ｒの一方に設けられた区画壁６０は、ケーブル５３が配置される凹部６３を有する。左ハウジング２２Ｌ及び右ハウジング２２Ｒの他方に設けられた区画壁６０は、左ハウジング２２Ｌと右ハウジング２２Ｒとが接続された状態で、凹部６３に配置されたケーブル５３を押し潰す凸部を含む。これにより、ハウジング２の内部空間にケーブル５３が配設された状態で、第１空間ＳＰ１と第２空間ＳＰ２とが区画される。ケーブル５３のチューブ５３Ｂは、弾性部材であり、凸部に押し潰されることにより、第１空間ＳＰ１と第２空間ＳＰ２との境界をシールする。これにより、ファン７が回転しても、第１空間ＳＰ１の空気が第２空間ＳＰ２に流通することが抑制される。第２空間ＳＰ２には、トリガスイッチ１３が設けられる。トリガスイッチ１３とハンドル１２（後ハウジング２２）との間に間隙が設けられる。ファン７が回転しても、第１空間ＳＰ１と第２空間ＳＰ２との境界がシールされているので、トリガスイッチ１３とハンドル１２との間隙において、空気が流通することが抑制される。これにより、使用者に不快感を与えることが抑制される。また、第１空間ＳＰ１の空気が第２空間ＳＰ２に漏れ出すことが抑制されるため、塵埃によるクリーナ１の故障等が抑制される。
【０１１８】
第１凸部９１と第２凸部９２とを含む回転防止機構９０が設けられる。これにより、前ハウジング２１と後ハウジング２２との相対回転が抑制される。
【０１１９】
モータ８は、バッテリ装着部６に装着された電動工具用のバッテリ５から供給される電力により駆動する。これにより、商用電源（交流電源）と接続されるケーブルが省略されるので、使用者は、クリーニング作業を円滑に実施することができる。
【０１２０】
[その他の実施形態]
上述の実施形態においては、吸音部材３０がハンディクリーナに設けられることとした。吸音部材３０は、キャスターを備えるクリーナに設けられてもよい。
【０１２１】
図２２は、実施形態に係る集塵機１Ｂを示す図である。集塵機１Ｂは、クリーナの一種である。集塵機１Ｂは、ファン及びモータを含む駆動ユニットを収容するハウジング１００と、ハウジング１００を移動可能に支持するキャスター１０１とを備える。モータは、バッテリ装着部６に装着されたバッテリ５から供給される電力により駆動する。バッテリ５は、ハウジング１００に接続されたガード部材１０２により保護される。ハウジング１００には排気口１０が設けられる。ハウジング１００の内部空間に、上述の実施形態で説明した吸音部材３０が配置される。図２２に示す集塵機１Ｂにおいても、騒音の発生が抑制される。
【符号の説明】
【０１２２】
１…クリーナ、２…ハウジング、３…吸込口、５…バッテリ、６…バッテリ装着部、７…ファン、８…モータ、１０…排気口、１１…開口、１２…ハンドル、１３…トリガスイッチ、１４…樹脂リブ、１５…フィルタ、１６…モータベース、１７…ファンカバー、１８…防振ゴム、１９…ねじ、２１…前ハウジング、２２…後ハウジング、２２Ｌ…左ハウジング、２２Ｒ…右ハウジング、２２Ｔ…筒部、３０…吸音部材、３１…第１面、３２…第２面、３３…貫通孔、３３Ａ…貫通孔、３３Ｂ…貫通孔、３３Ｆ…貫通孔、３４…気泡、３５…第１開口、３６…第２開口、３８…支持部材、３８Ａ…ロッド部、３８Ｂ…フック部、４０…駆動ユニット、５１…スイッチング素子、５２…制御基板、５３…ケーブル、５３Ａ…リード線、５３Ｂ…チューブ、６０…区画壁、６１…第１区画壁、６２…第２区画壁、６２Ｌ…左区画壁、６２Ｒ…右区画壁、６３…凹部、７１Ａ…前板、７１Ｂ…後板、７２…羽根、７３…吸込口、７４…吹出口、７５…挿入孔、８１…出力シャフト、８２…ベアリング、８３…ねじ孔、８４…ボディ、９０…回転防止機構、９１…第１凸部、９２…第２凸部、１００…ハウジング、１０１…キャスター、１０２…ガード部材、１６１…ベース板、１６２…整流部材、１６３…挿入孔、１６２Ａ…内側壁部、１６２Ｂ…傾斜部、１６２Ｃ…外側壁部、１６２Ｄ…ストッパ部、１６４…突起部、１６５…孔、１６６…固定リブ、１７１…吸込口、１７２…前板部、１７３…円筒部、１７４…外筒部、１７５…突起部、１７６…円筒部、１７７…リブ、１７８…突起部、１７９…孔、１８１…被覆部、１８２…突出部、１８２Ｒ…リブ、１８３…溝、１８４…連結リブ、１８５…凹部、３００…吸音部材、ＡＸ…回転軸、ＣＸ…中心軸、ＤＸ…中心軸、ＬＸ…中心線。
【図１】
2020124432.tif 000003
【図２】
2020124432.tif 000004
【図３】
2020124432.tif 000005
【図４】
2020124432.tif 000006
【図５】
2020124432.tif 000007
【図６】
2020124432.tif 000008
【図７】
2020124432.tif 000009
【図８】
2020124432.tif 000010
【図９】
2020124432.tif 000011
【図１０】
2020124432.tif 000012
【図１１】
2020124432.tif 000013
【図１２】
2020124432.tif 000014
【図１３】
2020124432.tif 000015
【図１４】
2020124432.tif 000016
【図１５】
2020124432.tif 000017
【図１６】
2020124432.tif 000018
【図１７】
2020124432.tif 000019
【図１８】
2020124432.tif 000020
【図１９】
2020124432.tif 000021
【図２０】
2020124432.tif 000022
【図２１】
2020124432.tif 000023
【図２２】
2020124432.tif 000024